(57)【特許請求の範囲】
【請求項１】
駆動電源により発光ダイオードに流れる駆動電流を断続するメインスイッチと、
前記発光ダイオードに流れる駆動電流を検出する電流検出部と、
前記駆動電源のレベルを判断する電源レベル判断部と、
ディミング制御のためのディミングキャパシタと、
前記電源レベル判断部の電源レベル判断信号及びイネーブル信号に応じて前記ディミングキャパシタの充電及び放電を制御するディミング制御部と、
前記電流検出部による検出電圧及び前記ディミングキャパシタの電圧に応じてリセット信号を生成するリセット回路部と、
パルス信号を発生するパルス発生部と、
前記パルス発生部のパルス信号によりセットされ、前記リセット回路部のリセット信号によりリセットされてスイッチング信号を生成し、前記スイッチング信号を用いて前記メインスイッチをスイッチングさせるラッチ部と、
を含むことを特徴とするディミングバックタイプのＬＥＤ駆動装置。
【請求項２】
前記メインスイッチは、前記発光ダイオードに連結された第１端子と、接地に連結された第２端子と、前記ラッチ部の出力に連結された第３端子とを有するトランジスタからなることを特徴とする請求項１に記載のディミングバックタイプのＬＥＤ駆動装置。
【請求項３】
前記電源レベル判断部は、前記駆動電源が既に設定された電源基準電圧より小さいとハイレベルの電源レベル判断信号を前記ディミング制御部へ出力し、前記駆動電源が前記電源基準電圧より大きいとローレベルの電源レベル判断信号を前記ディミング制御部へ出力することを特徴とする請求項１に記載のディミングバックタイプのＬＥＤ駆動装置。
【請求項４】
前記ディミング制御部は、前記電源レベル判断部の電源レベル判断信号とイネーブル信号に基づいてイネーブル状態でパワーが正常と判断されると前記ディミングキャパシタの充電を制御し、イネーブル状態でパワーが非正常と判断されると放電を制御することを特徴とする請求項１に記載のディミングバックタイプのＬＥＤ駆動装置。
【請求項５】
前記ディミング制御部は、
前記ディミングキャパシタに並列に連結されたツェナーダイオードと、
動作電源に連結された電流ソースと、
前記ディミングキャパシタとツェナーダイオードとの接続ノードと、前記電流ソースの間に連結され、前記ディミングキャパシタの充電経路を提供するための充電スイッチと、
接地に連結された電流シンクと、
前記接続ノードと前記電流シンクの間に連結され、前記ディミングキャパシタの放電経路を提供するための放電スイッチと、
前記イネーブル信号と前記電源レベル判断信号の反転信号を論理積して、前記充電スイッチに第１スイッチング信号を出力し、前記放電スイッチに前記第１スイッチング信号と位相反転された第２スイッチング信号を出力するスイッチング制御ロジックと、
前記ディミングキャパシタの電圧が既に設定された第１基準電圧より低いとソフトシャットダウン信号を出力する比較器と、
を含むことを特徴とする請求項４に記載のディミングバックタイプのＬＥＤ駆動装置。
【請求項６】
前記ディミング制御部は、前記ツェナーダイオードに並列に連結され、前記電源レベル判断信号に応じてスイッチングするサブスイッチをさらに含むことを特徴とする請求項５に記載のディミングバックタイプのＬＥＤ駆動装置。  
【請求項７】
前記スイッチング制御ロジックは、
前記電源レベル判断信号をインバーティングする第１インバータと、
前記イネーブル信号と前記電源レベル判断信号の反転信号を論理積して前記第１スイッチング信号を生成し、前記第１スイッチング信号を前記充電スイッチへ出力する論理積素子と、
前記論理積素子の第１スイッチング信号をインバートさせて前記第２スイッチング信号を生成し、前記第２スイッチング信号を前記放電スイッチへ出力する第２インバータと、
を含むことを特徴とする請求項５に記載のディミングバックタイプのＬＥＤ駆動装置。
【請求項８】
前記リセット回路部は、前記電流検出部による検出電圧が前記ディミングキャパシタの電圧または第２基準電圧より高いとリセット信号を生成することを特徴とする請求項１に記載のディミングバックタイプのＬＥＤ駆動装置。
【請求項９】
前記リセット回路部は、
前記電流検出部による検出電圧の入力を受ける第１非反転端と、前記ディミングキャパシタの電圧の入力を受ける第１反転端と、前記検出電圧と前記ディミングキャパシタの電圧を比較して第１比較結果信号を出力する第１出力端を有する第１比較器と、
前記電流検出部による検出電圧の入力を受ける第２非反転端と、前記第２基準電圧の入力を受ける第２反転端と、前記検出電圧と前記第２基準電圧を比較して第２比較結果信号を出力する第２出力端を有する第２比較器と、
前記第１比較器の第１比較結果信号と前記第２比較器の第２比較結果信号を論理和して論理和信号を前記ラッチ部のリセット端子へ出力する論理和素子と、
を含むことを特徴とする請求項８に記載のディミングバックタイプのＬＥＤ駆動装置。
【請求項１０】
前記ラッチ部のスイッチング信号は、前記パルス発生部のパルス信号の上昇エッジから前記リセット信号の上昇エッジまでのパルス幅を有することを特徴とする請求項１に記載のディミングバックタイプのＬＥＤ駆動装置。
【発明の詳細な説明】
【技術分野】
【０００１】
本発明はディミングバックタイプのＬＥＤ駆動装置に関するもので、特に、電源の供給時点で駆動電源を徐々に上昇させて供給し、電源の遮断時点で駆動電源を徐々に減少させ結局は遮断されるようにすることにより、ＬＥＤにディミング機能を具現することが出来るディミングバックタイプのＬＥＤ駆動装置に関する。
【背景技術】
【０００２】
一般的に、発光ダイオード（ＬＥＤ）の適用技術が発展するにつれ、発光ダイオードの駆動技術も徐々に発展している実情である。このような発光ダイオードの適用分野が拡大することに伴い、発光ダイオードの駆動にも発光ダイオードの点灯及び消灯時に劇場の照明のように徐々に点灯及び消灯される雰囲気の効果が与えられる技術に関心が高まりつつある。
【０００３】
従来の発光ダイオード駆動にディミング機能を具現するためには、ＰＷＭ  ＩＣ  ｏｒ  マイカム  ＩＣなどのように、外部デバイスコントローラ（ＤＥＶＩＣＥ  ｃｏｎｔｒｏｌｌｅｒ）を必要とした。
【０００４】
このように、従来の発光ダイオードディミングを具現する方式では、前述の通り、外部のデバイスコントローラのように、別途の専用ＩＣがさらに必要となるため、全体デバイスの大きさ及び消費電力が大きくなるという問題点がある。
【発明の開示】
【発明が解決しようとする課題】
【０００５】
本発明は上記の問題点を解決するため提案されたもので、その目的は、電源の供給時点で駆動電源を徐々に上昇させて供給し、電源の遮断時点で駆動電源を徐々に減少させて結局遮断されるようにすることにより、ＬＥＤにディミング機能を具現することが出来るディミングバックタイプのＬＥＤ駆動装置を提供することにある。
【課題を解決するための手段】
【０００６】
上記本発明の目的を達成すべく、本発明によるディミングバックタイプのＬＥＤ駆動装置は、駆動電源により発光ダイオードに流れる駆動電流を断続するメインスイッチと、上記発光ダイオードに流れる駆動電流を検出する電流検出部と、駆動電源のレベルを判断する電源レベル判断部と、ディミング制御のためのディミングキャパシタと、上記電源レベル判断部の電源レベル判断信号及びイネーブル信号に応じて上記ディミングキャパシタの充電及び放電を制御するディミング制御部と、上記電流検出部による検出電圧及び上記ディミングキャパシタの電圧に応じてリセット信号を生成するリセット回路部と、パルス信号を発生するパルス発生部と、上記パルス発生部のパルス信号によりセットされ、上記リセット回路部のリセット信号によりリセットされてスイッチング信号を生成し、上記スイッチング信号を用いて上記メインスイッチをスイッチングさせるラッチ部とを含むことを特徴とする。
【０００７】
上記メインスイッチは、上記発光ダイオードに連結された第１端子と、接地に連結された第２端子と、上記ラッチ部の出力に連結された第３端子とを有するトランジスタからなることを特徴とする。
【０００８】
上記電源レベル判断部は、上記駆動電源が既に設定された電源基準電圧より小さいとハイレベルの電源レベル判断信号を上記ディミング制御部へ出力し、そうではないと（前記駆動電源が前記電源基準電圧より大きいと）ローレベルの電源レベル判断信号を上記ディミング制御部へ出力することを特徴とする。
【０００９】
上記ディミング制御部は、上記電源レベル判断部の電源レベル判断信号とイネーブル信号に基づいてイネーブル状態でパワーが正常と判断されると上記ディミングキャパシタの充電を制御し、イネーブル状態でパワーが非正常と判断されると放電を制御することを特徴とする。上記ディミング制御部は、上記ディミングキャパシタに並列に連結されたツェナーダイオードと、動作電源に連結された電流ソースと、上記ディミングキャパシタとツェナーダイオードとの接続ノードと、上記電流ソースの間に連結され、上記ディミングキャパシタの充電経路を提供するための充電スイッチと、接地に連結された電流シンクと、上記接続ノードと上記電流シンクの間に連結され、上記ディミングキャパシタの放電経路を提供するための放電スイッチと、上記イネーブル信号と上記電源レベル判断信号の反転信号を論理積して、上記充電スイッチに第１スイッチング信号を出力し、上記放電スイッチに上記第１スイッチング信号と位相反転された第２スイッチング信号を出力するスイッチング制御ロジックと、上記ディミングキャパシタの電圧が既に設定された第１基準電圧より低いとソフトシャットダウン信号を出力する比較器とを含むことを特徴とする。上記ディミング制御部は、上記ツェナーダイオードに並列に連結され、上記電源レベル判断信号に応じてスイッチングするサブスイッチをさらに含むことを特徴とする。
【００１０】
上記スイッチング制御ロジックは、上記電源レベル判断信号をインバーティングする第１インバータと、上記イネーブル信号と上記電源レベル判断信号の反転信号を論理積して上記第１スイッチング信号を生成し、上記第１スイッチング信号を上記充電スイッチへ出力する論理積素子と、上記論理積素子の第１スイッチング信号をインバートさせ上記第２スイッチング信号を生成し、上記第２スイッチング信号を上記放電スイッチへ出力する第２インバータと含むことを特徴とする。
【００１１】
上記リセット回路部は、上記電流検出部による検出電圧が上記ディミングキャパシタの電圧または第２基準電圧より高いとリセット信号を生成することを特徴とする。上記リセット回路部は、上記電流検出部による検出電圧の入力を受ける非反転端と、上記ディミングキャパシタの電圧の入力を受ける反転端と、上記検出電圧と上記ディミングキャパシタの電圧を比較して第１比較結果信号を出力する出力端を有する第１比較器と、上記電流検出部による検出電圧の入力を受ける非反転端と、上記第２基準電圧の入力を受ける反転端と、上記検出電圧と上記第２基準電圧を比較して第２比較結果信号を出力する出力端を有する第２比較器と、上記第１比較器の第１比較結果信号と上記第２比較器の第２比較結果信号を論理和して論理和信号を上記ラッチ部のリセット端子へ出力する論理和素子とを含むことを特徴とする。
【００１２】
上記ラッチ部のスイッチング信号は、上記パルス発生部のパルス信号の上昇エッジから上記リセット信号の上昇エッジまでのパルス幅を有することを特徴とする。
【発明の効果】
【００１３】
本発明のディミングバックタイプのＬＥＤ駆動装置において、電源の供給時点で駆動電源を徐々に上昇させて供給し、電源の遮断時点で駆動電源を徐々に減少させて結局遮断されるようにすることにより、ＬＥＤにディミング機能を具現することが出来るという効果がある。
【発明を実施するための最良の形態】
【００１４】
以下、本発明の実施形態を添付の図面を参照に詳しく説明する。本発明は説明する実施形態に限定されず、本発明の実施形態は本発明の技術的思想に対する理解を得るため使われる。本発明に参照された図面で実質的に同一の構成と機能を有する構成要素は同一符号を使用する。
【００１５】
図１は本発明によるディミングバックタイプのＬＥＤ駆動装置の構成図である。
【００１６】
図１を参照すると、本発明によるディミングバックタイプのＬＥＤ駆動装置は、駆動電源Ｖｄｒにより発光ダイオードＬＥＤに流れる駆動電流を断続するメインスイッチ１０と、上記発光ダイオードに流れる駆動電流を検出する電流検出部２０と、駆動電源Ｖｄｒのレベルを判断する電源レベル判断部１００と、ディミング制御のためのディミングキャパシタＣｄｍと、上記電源レベル判断部１００の電源レベル判断信号ＰＬ及びイネーブル信号に応じて上記ディミングキャパシタＣｄｍの充電及び放電を制御するディミング制御部２００と、上記電流検出部２０からの検出電圧Ｖｄ及び上記ディミングキャパシタＣｄｍの電圧Ｖｃｄｍに応じてリセット信号を生成するリセット回路部３００と、パルス信号を発生するパルス発生部４００と、上記パルス発生部４００のパルス信号によりセットされ、上記リセット回路部３００のリセット信号によりリセットされてスイッチング信号ＳＳを生成し、上記スイッチング信号ＳＳを用いて上記メインスイッチ１０をスイッチングさせるラッチ部５００とを含む。
【００１７】
上記メインスイッチ１０は、上記発光ダイオードＬＥＤに連結された第１端子と、接地に連結された第２端子と、上記ラッチ部５００の出力に連結された第３端子とを有するトランジスタからなることが出来る。具体的に、上記トランジスタは、上記第１端子、第２端子及び第３端子がそれぞれドレイン、ソース及びゲートであるＮチャネルＭＯＳトランジスタが適用され得る。
【００１８】
上記電源レベル判断部１００は、上記駆動電源Ｖｄｒが既に設定された電源基準電圧より小さいとハイレベルの電源レベル判断信号ＰＬを上記ディミング制御部２００へ出力し、そうではないと（前記駆動電源が前記電源基準電圧より大きいと）ローレベルの電源レベル判断信号ＰＬを上記ディミング制御部２００へ出力する。
【００１９】
上記ディミング制御部２００は、上記電源レベル判断部１００の電源レベル判断信号ＰＬとイネーブル信号ＥＮに基づいて、イネーブル状態でパワーが正常と判断されると上記ディミングキャパシタＣｄｍの充電を制御し、イネーブル状態でパワーが非正常と判断されると放電を制御する。
【００２０】
図１において、５０は上記発光ダイオードＬＥＤを保護するための回路部であって、ツェナーダイオードＤ１とコイルＬを含むことが出来る。
【００２１】
図２は、本発明によるディミング制御部の構成図である。
【００２２】
図２を参照すると、上記ディミング制御部２００は、上記ディミングキャパシタＣｄｍに並列に連結されたツェナーダイオードＤ２と、動作電源Ｖｃｃに連結された電流ソースＩＳ１と、上記ディミングキャパシタＣｄｍとツェナーダイオードＤ２との接続ノードＮＣ１と、上記電流ソースＩＳ１の間に連結され、上記ディミングキャパシタＣｄｍの充電経路を提供するための充電スイッチＳＷ２１と、接地に連結された電流シンクＩＳ２と、上記接続ノードＮＣ１と上記電流シンクＩＳ２の間に連結され、上記ディミングキャパシタＣｄｍの放電経路を提供するための放電スイッチＳＷ２２と、上記イネーブル信号ＥＮと上記電源レベル判断信号ＰＬの反転信号を論理積して、上記充電スイッチＳＷ２１に第１スイッチング信号を出力し、上記放電スイッチＳＷ２２に上記第１スイッチング信号と位相反転された第２スイッチング信号を出力するスイッチング制御ロジック２１０と、上記ディミングキャパシタＣｄｍの電圧Ｖｃｄｍが既に設定された第１基準電圧Ｖｒｅｆ１より低いとソフトシャットダウン信号ＳＳＤＮを出力する比較器２２０とを含む。
【００２３】
上記ディミング制御部２００は、上記ツェナーダイオードＤ２に並列に連結され、上記電源レベル判断信号ＰＬに応じてスイッチングするサブスイッチＱ２を含むことが出来る。
【００２４】
また、上記スイッチング制御ロジック２１０は、上記電源レベル判断信号ＰＬをインバーティングする第１インバータＩＮＴ１と、上記イネーブル信号ＥＮと上記電源レベル判断信号ＰＬの反転信号を論理積して上記第１スイッチング信号を生成し、上記第１スイッチング信号を上記充電スイッチＳＷ２１へ出力する論理積素子ＡＮＤ１と、上記論理積素子ＡＮＤ１の第１スイッチング信号をインバートさせて上記第２スイッチング信号を生成し、上記第２スイッチング信号を上記放電スイッチＳＷ２２へ出力する第２インバータＩＮＴ２とを含む。
【００２５】
上記リセット回路部３００は、上記電流検出部２０による検出電圧Ｖｄが上記ディミングキャパシタＣｄｍの電圧Ｖｃｄｍまたは第２基準電圧Ｖｒｅｆ２より高いとリセット信号を生成する。
【００２６】
具体的に、上記リセット回路部３００は、上記電流検出部２０による検出電圧Ｖｄの入力を受ける第１非反転端と、上記ディミングキャパシタＣｄｍの電圧Ｖｃｄｍの入力を受ける第１反転端と、上記検出電圧Ｖｄと上記ディミングキャパシタＣｄｍの電圧Ｖｃｄｍを比較して第１比較結果信号ＣＯ１を出力する第１出力端を有する第１比較器３１０と、上記電流検出部２０による検出電圧Ｖｄの入力を受ける第２非反転端と、上記第２基準電圧Ｖｒｅｆ２の入力を受ける第２反転端と、上記検出電圧Ｖｄと上記第２基準電圧Ｖｒｅｆ２を比較して第２比較結果信号ＣＯ２を出力する第２出力端を有する第２比較器３２０と、上記第１比較器３１０の第１比較結果信号と上記第２比較器３２０の第２比較結果信号を論理和して論理和信号を上記ラッチ部５００のリセット端子へ出力する論理和素子３３０とを含むことが出来る。
【００２７】
上記ラッチ部５００のスイッチング信号は、上記パルス発生部４００のパルス信号の上昇エッジから上記リセット信号の上昇エッジまでのパルス幅を有することが出来る。
【００２８】
図３は、本発明のディミングバックタイプのＬＥＤ駆動装置のタイミングチャートである。
【００２９】
図３において、ＥＮはイネーブル信号で、Ｖｃｄｍはディミングキャパシタの電圧で、Ｓｓｔはセット信号で、Ｓｒｓｔはリセット信号で、ＳＳはスイッチング信号で、Ｉｓｒは電流ソースＩＳ１の電流で、Ｉｓｋは電流シンクＩＳ２の電流である。また、ＩＬＥＤはＬＥＤに流れる電流である。
【００３０】
以下、本発明の作用及び効果を添付の図面により詳しく説明する。  
図１乃至図３を参照に本発明のディミングバックタイプのＬＥＤ駆動装置について説明すると、先ず図１において、本発明のディミングバックタイプのＬＥＤ駆動装置が適用されたシステムがオンされると、駆動電源Ｖｄｒが供給されると同時にイネーブル信号ＥＮが入力される。
【００３１】
この際、本発明の電源レベル判断部１００は上記駆動電源Ｖｄｒのレベルを判断してディミング制御部２００へ電源レベル判断信号ＰＬを出力する。
【００３２】
例えば、上記電源レベル判断部１００は、上記駆動電源Ｖｄｒが既に設定された電源基準電圧より小さいとハイレベルの電源レベル判断信号ＰＬを上記ディミング制御部２００へ出力し、そうではないと（前記駆動電源が前記電源基準電圧より大きいと）ローレベルの電源レベル判断信号ＰＬを上記ディミング制御部２００へ出力する。
【００３３】
ここで、本発明のディミングキャパシタＣｄｍにはディミング制御のため電圧が充電または放電され、これは上記ディミング制御部２００により制御される。
【００３４】
上記ディミング制御部２００は、上記電源レベル判断部１００の電源レベル判断信号ＰＬ及びイネーブル信号に応じて上記ディミングキャパシタＣｄｍの充電及び放電を制御する。これにより、図３に図示した通り上記ディミングキャパシタＣｄｍには電圧Ｖｃｄｍが充電または放電される。
【００３５】
本発明の駆動電源Ｖｄｒは発光ダイオードＬＥＤに供給され、これにより上記発光ダイオードＬＥＤには駆動電流が流れるようになるが、この際、メインスイッチ１０がスイッチング信号ＳＳに応じて上記駆動電源Ｖｄｒにより発光ダイオードＬＥＤに流れる駆動電流を断続する。
【００３６】
このような動作を行う過程において、本発明の電流検出部２０は、上記発光ダイオードＬＥＤに流れる駆動電流を検出してリセット回路部３００へ出力し、本発明のパルス発生部４００は、パルス信号を発生する。
【００３７】
即ち、図１乃至図３を参照すると、上記リセット回路部３００は、上記電流検出部２０による検出電圧Ｖｄ及び上記ディミングキャパシタＣｄｍの電圧Ｖｃｄｍに応じてリセット信号Ｓｒｓｔを生成してラッチ部５００へ出力する。
【００３８】
上記ラッチ部５００は、上記パルス発生部４００のパルス信号によりセットされ、上記リセット回路部３００のリセット信号Ｓｒｓｔによりリセットされて図３に図示したようなスイッチング信号ＳＳを生成し、上記スイッチング信号ＳＳを用いて上記メインスイッチ１０をスイッチングさせる。
【００３９】
この際、上記メインスイッチ１０は、上記発光ダイオードＬＥＤに連結されたドレインと、接地に連結されたソースと、上記ラッチ部５００の出力に連結されたゲートを有するＮチャネルＭＯＳトランジスタの場合、上記スイッチング信号ＳＳがハイレベルの場合には、上記スイッチング信号ＳＳがハイレベルに保持される間に上記メインスイッチ１０はスイッチングオンされ、逆に上記スイッチング信号ＳＳがローレベルの場合には、上記スイッチング信号ＳＳがローレベルに保持される間に上記メインスイッチ１０はスイッチングオフされる。
【００４０】
以下、上記ディミング制御部２００について詳しく説明する。
【００４１】
上記ディミング制御部２００は、上記電源レベル判断部１００の電源レベル判断信号ＰＬとイネーブル信号ＥＮに基づいて、イネーブル状態でパワーが正常と判断されると上記ディミングキャパシタＣｄｍの充電を制御し、イネーブル状態でパワーが非正常と判断されると放電を制御する。
【００４２】
図１及び図２を参照すると、上記ディミング制御部２００のスイッチング制御ロジック２１０は、上記イネーブル信号ＥＮと上記電源レベル判断信号ＰＬの反転信号を論理積して、充電スイッチＳＷ２１に第１スイッチング信号を出力し、放電スイッチＳＷ２２に上記第１スイッチング信号と位相反転された第２スイッチング信号を出力する。
【００４３】
即ち、上記イネーブル信号ＥＮがハイレベル状態で、上記電源レベル判断信号ＰＬがローレベル状態の場合には、第１スイッチング信号によって充電スイッチＳＷ２１がオンされ、放電スイッチＳＷ２２はオフされる。上記充電スイッチＳＷ２１がオンされると、電流ソースＩＳ１の電流Ｉｓｒが上記ディミングキャパシタＣｄｍに流れて上記ディミングキャパシタＣｄｍに電圧が充電される。この際、上記ディミングキャパシタＣｄｍに充電される電圧はツェナーダイオードＤ２によって一定の電圧以上には充電されない。
【００４４】
これに対して、上記イネーブル信号ＥＮがハイレベル状態で、上記電源レベル判断信号ＰＬがハイレベル状態の場合には、第２スイッチング信号によって放電スイッチＳＷ２２がオンされ充電スイッチＳＷ２１はオフされる。上記放電スイッチＳＷ２２がオンされると、上記ディミングキャパシタＣｄｍの充電電圧は電流シンクＩＳ２の電流Ｉｓｋが接地に流れる動作により接地に速やかに放電される。
【００４５】
図３に図示した通り、上記電流ソースＩＳ１の電流Ｉｓｒと上記電流シンクＩＳ２の電流Ｉｓｋによって、上記発光ダイオードＬＥＤには点灯時に徐々に上昇しながら一定レベルに保持され、その後消灯時には徐々に減少する。これにより、発光ダイオードは劇場用照明のように徐々に点灯され消灯されることが出来る。
【００４６】
また、上記ディミング制御部２００の比較器２２０は、上記ディミングキャパシタＣｄｍの電圧Ｖｃｄｍが既に設定された第１基準電圧Ｖｒｅｆ１より低いとソフトシャットダウン信号ＳＳＤＮを上記電源レベル判断部１００へ出力する。
【００４７】
また、上記ディミング制御部２００は、上記ツェナーダイオードＤ２に並列に連結されたサブスイッチＱ２を含む場合、上記サブスイッチＱ２が上記電源レベル判断信号ＰＬに応じてスイッチングされるため、上記ディミングキャパシタＣｄｍの充電電圧がより速やかに放電されることが出来る。
【００４８】
図１及び図２を参照すると、上記スイッチング制御ロジック２１０について詳しく説明すると、上記スイッチング制御ロジック２１０の第１インバータＩＮＴ１は、上記電源レベル判断信号ＰＬをインバーティングし、上記スイッチング制御ロジック２１０の論理積素子ＡＮＤ１は、上記イネーブル信号ＥＮと上記電源レベル判断信号ＰＬの反転信号を論理積して上記第１スイッチング信号を生成し、上記第１スイッチング信号を上記充電スイッチＳＷ２１へ出力する。
【００４９】
そして、上記スイッチング制御ロジック２１０の第２インバータＩＮＴ２は、上記論理積素子ＡＮＤ１の第１スイッチング信号をインバートさせて上記第２スイッチング信号を生成し、上記第２スイッチング信号を上記放電スイッチＳＷ２２へ出力する。
【００５０】
上記リセット回路部３００は、上記電流検出部２０による検出電圧Ｖｄが上記ディミングキャパシタＣｄｍの電圧Ｖｃｄｍまたは第２基準電圧Ｖｒｅｆ２より高いとリセット信号を生成する。これについて図１及び図２を参照に説明する。
【００５１】
図１及び図２を参照すると、上記リセット回路部３００は、第１比較器３１０、第２比較器３２０及び論理和素子３３０を含む場合、上記第１比較器３１０は、上記第１非反転端子を通した検出電圧Ｖｄと上記第１反転端子を通した上記ディミングキャパシタＣｄｍの電圧Ｖｃｄｍを比較して第１比較結果信号ＣＯ１を出力する。上記第２比較器３２０は、上記第２非反転端子を通した検出電圧Ｖｄと第２反転端子を通した上記第１基準電圧Ｖｒｅｆ１を比較して第２比較結果信号ＣＯ２を出力する。
【００５２】
また、上記論理和素子３３０は、上記第１比較器３１０の第１比較結果信号ＣＯ１と上記第２比較器３２０の第２比較結果信号ＣＯ２を論理和して論理和信号を上記ラッチ部５００のリセット端子へ出力する。
【００５３】
次に、上記ラッチ部５００のスイッチング信号は、上記パルス発生部４００のパルス信号の上昇エッジから上記リセット信号の上昇エッジまでのパルス幅を有することができ、図３に図示した通り、上記ラッチ部５００の出力信号は  ソース電流Ｉｓｒが流れる間には徐々にパルス幅が大きくなり、シンク電流Ｉｓｋが流れる間には徐々にパルス幅が小さくなる。
【００５４】
前述のような、本発明のディミング制御部２００により、図３に図示した通り、上記ディミングキャパシタＣｄｍに電圧が充電される時間によって点灯が徐々に行われることができ、また上記ディミングキャパシタＣｄｍの電圧が放電される時間によって消灯が徐々に行われることができ、このような過程を通して、上記発光ダイオードＬＥＤが劇場照明のように徐々に点灯されて徐々に消灯されることが出来る。
【００５５】
以上の本発明は前述の実施形態及び添付の図面により限定されず、特許請求の範囲により限定される。本発明の装置が本発明の技術的思想を外れない範囲内で様々な置換、変形及び変更が出来るというは本発明が属する技術分野において通常の知識を有している者に自明である。
【図面の簡単な説明】
【００５６】
【図１】本発明によるディミングバックタイプのＬＥＤ駆動装置の構成図である。
【図２】本発明によるディミング制御部の構成図である。
【図３】本発明のディミングバックタイプのＬＥＤ駆動装置のタイミングチャートである。
【符号の説明】
【００５７】
１０  メインスイッチ
２０  電流検出部
１００  電源レベル判断部
２００  ディミング制御部
２１０  スイッチング制御ロジック
２２０  比較器
３００  リセット回路部
３１０  第１比較器
３２０  第２比較器
３３０  論理和素子
４００  パルス発生部
５００  ラッチ部
Ｖｄｒ  駆動電源
Ｖｄ  検出電圧
Ｖｃｄｍ  ディミングキャパシタの電圧
Ｖｒｅｆ１  第１基準電圧
Ｖｃｃ  動作電源
ＬＥＤ  発光ダイオード
ＥＮ  イネーブル信号
Ｃｄｍ  ディミングキャパシタ
ＰＬ  電源レベル判断信号
Ｄ２  ツェナーダイオード
ＮＣ１  接続ノード
ＩＳ１  電流ソース
ＩＳ２  電流シンク
ＳＷ２１  充電スイッチ
ＳＷ２２  放電スイッチ
【図１】
0004688905.tif 000002
【図２】
0004688905.tif 000003
【図３】
0004688905.tif 000004